(57)【要約】【課題】商品の加温に冷却ユニットの圧縮機の排熱を利用して、自動販売機の消費電力量を削減する。【解決手段】本体２内が上下仕切板で上下に仕切られ、上側に商品収納部１４を設け、下側に機械室２４を設け、商品収納部１４が、商品を加温可能な冷温切換室１６、１７と冷却専用室１８を備えた自動販売機１において、本体２内の上下仕切板を、冷温切換室１７及び冷却専用室１８の下部に位置する第１上下仕切板２５Ａと冷温切換室１６の下部に位置する第２上下仕切板２５Ｂとに分割構成し、冷温切換室１６の底面である第２上下仕切板２５Ｂ上に、冷却ユニット５０の圧縮機５１を配置することにより、圧縮機５１の排熱を利用して冷温切換室１６を加温する構成とした。【選択図】図３
2015125762.tif 000002
【特許請求の範囲】
【請求項１】
本体内が上下仕切板で上下に仕切られ、前記上下仕切板の上側に商品収納部を設け、前記上下仕切板の下側に冷却ユニットを配置する機械室を設け、前記商品収納部が、商品を加温可能な収納室を備えた自動販売機において、
前記加温可能な収納室の下部に位置する前記上下仕切板の上側に、前記冷却ユニットの圧縮機を配置したことを特徴とする自動販売機。
【請求項２】
前記加温可能な収納室の下部に位置する前記上下仕切板が、前記加温可能な収納室の底面である請求項１に記載の自動販売機。
【請求項３】
前記商品収納部が、前記加温可能な収納室と左右仕切板で仕切られて商品を冷却する冷却専用室を備え、前記上下仕切板を、前記冷却専用室の下部に位置する第１上下仕切板と、前記加温可能な収納室の下部に位置する第２上下仕切板とで構成し、前記第２上下仕切板を、前記第１上下仕切板よりも低い位置に配置した請求項１又は２に記載の自動販売機。
【請求項４】
前記第１上下仕切板と前記第２上下仕切板とを分割構成した請求項３に記載の自動販売機。
【請求項５】
前記商品収納部の前面を開閉し、下端部を前記第１上下仕切板の前縁部に対応させた内扉の前記下端部と前記第２上下仕切板の前縁部との間に生じる前記加温可能な収納室の前面開口部を、断熱性の閉塞板で閉塞した請求項３又は４に記載の自動販売機。
【請求項６】
前記第１上下仕切板の前縁部に沿って前記第１上下仕切板と前記第２上下仕切板に跨って配置され、前記内扉を閉じたときに当該内扉の下端部内側が密着する密着部を備えたシール部材を有し、前記閉塞板の上縁部を前記シール部材で固定するようにした請求項５に記載の自動販売機。
【請求項７】
前記第１上下仕切板と前記第２上下仕切板との段差部に配置され、前記加温可能な収納室の側面と前記機械室とを仕切る側面仕切板を横切るように、前記冷却ユニットの前記機械室側に配置される冷媒回路構成部品と前記圧縮機とを接続する冷媒配管を配管した請求項３〜６のいずれか１つに記載の自動販売機。
【請求項８】
前記冷却ユニットは、少なくとも前記冷却専用室を冷却する第１冷却ユニットと、該第１冷却ユニットと独立して構成され、前記加温可能な収納室を加温可能な第２冷却ユニットとを有し、前記第１冷却ユニットの圧縮機を前記機械室内に配置し、前記第２冷却ユニットの圧縮機を、前記加温可能な収納室の下部に位置する前記上下仕切板の上側に配置した請求項３〜７のいずれか１つに記載の自動販売機。
【請求項９】
前記加温可能な収納室内に、前記冷却ユニットの圧縮機と放熱器とを設け、前記加温可能な収納室の前方側から後方側に向けて、前記圧縮機、前記放熱器の順で配置した請求項１に記載の自動販売機。
【請求項１０】
前記加温可能な収納室内に、前記第２冷却ユニットの圧縮機の他に前記第１冷却ユニットの吸熱器と前記第２冷却ユニットの放熱器とを設け、前記加温可能な収納室の前方側から後方側に向けて、前記第１冷却ユニットの吸熱器、前記第２冷却ユニットの圧縮機、及び前記第２冷却ユニットの放熱器の順で配置した請求項８に記載の自動販売機。
【請求項１１】
前記第２冷却ユニットの圧縮機は、冷媒を超臨界圧力未満で圧縮する圧縮機である請求項１０に記載の自動販売機。
【請求項１２】
前記加温可能な収納室内に、前記冷却ユニットの圧縮機と放熱器とを設け、前記加温可能な収納室の前方側から後方側に向けて、前記放熱器、前記圧縮機の順で配置した請求項１に記載の自動販売機。
【請求項１３】
前記加温可能な収納室内に、前記第２冷却ユニットの圧縮機の他に前記第１冷却ユニットの吸熱器と前記第２冷却ユニットの放熱器とを設け、前記加温可能な収納室の前方側から後方側に向けて、前記第１冷却ユニットの吸熱器、前記第２冷却ユニットの放熱器、及び前記第２冷却ユニットの圧縮機の順で配置した請求項８に記載の自動販売機。
【請求項１４】
前記第２冷却ユニットの圧縮機は、冷媒を超臨界圧力まで圧縮する圧縮機である請求項１３に記載の自動販売機。
【請求項１５】
前記第２冷却ユニットの吸熱器を、前記商品収納部における前記加温可能な収納室以外の商品収納室に配置した請求項８，１０，１１，１３，１４のいずれか１つに記載の自動販売機。
【発明の詳細な説明】
【技術分野】
【０００１】
本発明は、本体内に仕切板で仕切られた機械室と商品収納部とを有し、商品収納部に商品を加温可能な加温室を備えた自動販売機に関する。
【背景技術】
【０００２】
従来、この種の自動販売機としては、本体内の上部に商品収納部が設けられ、本体内の下部に冷却ユニットを構成する圧縮機や放熱器等が配置された機械室が設けられ、商品収納部内に、左右仕切板により仕切られて、商品を冷却可能な冷却室と商品を加温可能な加温室を設けたものがある。そして、冷却室には冷却ユニットの吸熱器（蒸発器）を配置して室内を冷却して商品を冷却し、加温室には電気ヒータを配置して室内を加温して商品を加温する（例えば、特許文献１参照）。
【先行技術文献】
【特許文献】
【０００３】
【特許文献１】特開２００１−９３０３９号公報
【発明の概要】
【発明が解決しようとする課題】
【０００４】
ところで、近年、環境保護が叫ばれる中、自動販売機業界においても省エネルギ化の要求が高まっている。このため、特許文献１に記載されているように、商品の加温に大きな消費電力量が必要になる電気ヒータを使用する自動販売機においては、省エネ化を図る上で、商品の加温、保温に必要な消費電力量を削減することが有効になる。
【０００５】
本発明は上記問題点に着目してなされたもので、商品の加温に冷却ユニットの圧縮機の排熱を利用することにより、消費電力量を削減可能な自動販売機を提供することを目的とする。
【課題を解決するための手段】
【０００６】
このため、本発明は、本体内が上下仕切板で上下に仕切られ、前記上下仕切板の上側に商品収納部を設け、前記上下仕切板の下側に冷却ユニットを配置する機械室を設け、前記商品収納部が、商品を加温可能な収納室を備えた自動販売機において、前記加温可能な収納室の下部に位置する前記上下仕切板の上側に、前記冷却ユニットの圧縮機を配置したことを特徴とする。
【発明の効果】
【０００７】
本発明の自動販売機によれば、商品を加温可能な収納室の下部に位置する上下仕切板の上側に、冷却ユニットの圧縮機を配置して圧縮機の発熱による排熱を商品の加温に利用するようにしたので、商品の加温のための消費電力量を削減でき、自動販売機の省エネルギ化を図ることができる。
【図面の簡単な説明】
【０００８】
【図１】本発明に係る自動販売機の一実施形態を示す正面図。
【図２】同上実施形態の外扉を開いた状態の斜視図。
【図３】同上実施形態の扉を除いた本体内部の簡略正面図。
【図４】同上実施形態の冷却ユニットの冷媒配管の説明図。
【図５】同上実施形態の冷却ユニットの配置構成における冷媒回路の構成図。
【図６】圧縮機と閉塞板の固定構造を説明する断面図。
【図７】圧縮機と閉塞板の固定構造を説明する分解斜視図。
【図８】圧縮機と閉塞板の固定構造を説明する斜視図。
【図９】図５の冷却ユニットの配置構成における別の冷媒回路例を示す構成図。
【図１０】図９の冷媒回路の変形例を示す構成図。
【図１１】図５の冷却ユニットの配置構成における更に別の冷媒回路例を示す構成図。
【図１２】図１１の冷媒回路の変形例を示す構成図。
【図１３】冷却ユニットの別の配置構成における冷媒回路の構成図。
【図１４】図１３の冷却ユニットの配置構成における別の冷媒回路例を示す構成図。
【図１５】図１４の冷媒回路の変形例を示す構成図。
【図１６】図１３の冷却ユニットの配置構成における更に別の冷媒回路例を示す構成図。
【図１７】図１６の冷媒回路の変形例を示す構成図。
【発明を実施するための形態】
【０００９】
以下、本発明の実施形態を図面に基づいて説明する。
図１は本実施形態の自動販売機の正面図を示し、図２は外扉を開いた状態の斜視図を示し、図３は扉を除いた本体内部の簡略正面図を示す。
自動販売機１は、例えば鋼板製の外面材の内側を断熱材で覆って形成される前面開口の断熱箱体を構成する本体２の前面の一側に、外扉３が開閉可能に取り付けられている。
【００１０】
前記外扉３には、図１に示すように、前面上部に商品サンプル室４が設けられており、商品サンプル室４内に陳列される複数の各商品サンプルに対応して複数の商品選択スイッチ５が配置されている。商品サンプル室４の下側には、広告パネル６が設けられ、広告パネル６の下側には商品取出口７が設けられている。また、広告パネル６の横には化粧パネル８が取り付けられており、この化粧パネル８内には、硬貨投入口９、返却レバー１０が設けられている。更に、化粧パネル８の横には、金額表示器１１や紙幣識別装置１２が設けられている。また、商品取出口７の横には硬貨返却口１３が設けられている。
【００１１】
外扉３を開いた本体２内の上部には、図２に示すように、前面が開口した商品収納部１４が設けられている。商品収納部１４は、断熱性の左右仕切板１５によって加温と冷却の切換えが可能な２つの冷温切換室１６，１７と１つの冷却専用室１８の３室に仕切られている。冷温切換室１６，１７及び冷却専用室１８には、販売する商品が蛇行状の商品通路に収納されるサーペンタイン式の商品収納コラム１９が前後方向及び左右方向にそれぞれ設けられている。
【００１２】
商品収納部１４の前面には、それぞれ断熱性を有し、商品収納部１４の前面開口の上部側を開閉するための上部側内扉２０と、商品収納部１４の前面開口の下部側を開閉するための下部側内扉２１が配置されている。
【００１３】
上部側内扉２０は、外扉３の商品サンプル室４の後側に当該外扉３に取り付けられており、外扉３を開閉することにより上部側内扉２０も一体的に開閉して商品収納部１４の前面開口の上部側が開閉される構成である。更に、上部側内扉２０は外扉３を開放した状態で、当該外扉３から独立して後方に開閉可能であり、上部側内扉２０を外扉３から後方に開いた状態で、商品サンプル室４内に陳列される商品サンプルを交換できるように構成されている。
【００１４】
下部側内扉２１は、本体２に開閉可能に取り付けられている。下部側内扉２１の下部には、商品収納部１４の各冷温切換室１６，１７及び冷却専用室１８内の商品を商品取出口７へ搬出するための商品搬出口２２が並設されている。各商品搬出口２２の上縁部には搬出扉２３が回動可能に取り付けられている。
【００１５】
本体２内の下部には、後述の第１及び第２冷却ユニット３０，５０の構成部品が配置される機械室２４が設けられている。この機械室２４は、図３及び図４に示すように、冷却専用室１８と隣接する冷温切換室１７の下部に位置してこれら両室１７，１８の底面を構成する第１上下仕切板２５Ａと冷温切換室１６の下部に位置して当該冷温切換室１６の底面を構成する第２上下仕切板２５Ｂとに分割構成された上下仕切板２５によって本体２内の上側の商品収納部１４と仕切られている。即ち、本体２内は上下仕切板２５で上下に仕切られ、上下仕切板２５の上側に商品収納部１４が設けられ、上下仕切板２５の下側に機械室２４が設けられている。ここで、一方の冷温切換室１６が本発明の加温可能な収納室に相当するものである。図２中、符号２６，２７は、本体２の両側部の強度を確保するための例えば鋼材等からなる補強部材である。尚、本実施形態では、第１上下仕切板２５Ａと第２上下仕切板２５Ｂを分割構成したが、１枚の上下仕切板を段付き状に折り曲げて第１上下仕切板２５Ａと第２上下仕切板２５Ｂを構成してもよい。
【００１６】
前記第１上下仕切板２５Ａは、冷却専用室１８と隣接する冷温切換室１７に跨って設けられ、その前縁部を下部側内扉２１の下端部に対応させた高さ位置に配置され、下部側内扉２１を閉じることで、冷却専用室１８及び冷温切換室１７の前面開口の下側が閉じられるように構成されている。また、第２上下仕切板２５Ｂは、図３及び図４に示すように、第１上下仕切板２５Ａよりも低い位置に配置されており、第１上下仕切板２５Ａと第２上下仕切板２５Ｂとの間には段差部が形成され、下部側内扉２１を閉じたときに下部側内扉２１下端部と第２上下仕切板２５Ｂ前縁部との間の冷温切換室１６前面に開口部ができる。このため、この冷温切換室１６の前面開口部に、図２に示すように断熱性を有する閉塞板２８を、後述するようにして取り外し可能に取り付けて、冷温切換室１６の前面開口部を閉塞している。
【００１７】
本実施形態の冷却ユニットは、少なくとも冷却専用室１８を冷却する第１冷却ユニット３０と、この第１冷却ユニット３０と独立して構成されて加温可能な収納室としての冷温切換室１６を加温可能な第２冷却ユニット５０とを設けている。そして、機械室２４の略中央部に第１冷却ユニット３０の圧縮機３１を配置し、冷温切換室１６の下部に位置する第２上下仕切板２５Ｂ上に第２冷却ユニット５０の圧縮機５１を配置している。
【００１８】
また、冷温切換室１６には、図３及び図４に示すように、圧縮機５１の他に第１冷却ユニット３０の吸熱器３２と第２冷却ユニット５０の放熱器５２が配置され、冷温切換室１７と冷却専用室１８には、第１冷却ユニット３０の吸熱器３３，３４がそれぞれ配置されている。冷温切換室１６には、図５に示すように、第２冷却ユニット５０による加温する際に熱量の不足を補うための電気ヒータ４１が設けられ、冷温切換室１７には、当該冷温切換室１７を加温するための電気ヒータ４２が設けられている。これにより、第１冷却ユニット３０によって冷温切換室１６，１７及び冷却専用室１８が冷却可能に構成され、第２冷却ユニット５０と電気ヒータ４１，４２によって冷温切換室１６、１７が加温可能に構成される。更に、冷温切換室１６，１７及び冷却専用室１８には、吸熱器３２，３３，５５の前方側にぞれぞれ送風機４４，４５，４６が設けられている。
【００１９】
ここで、冷却ユニット３０，５０の冷媒回路構成について図５を参照して説明する。
第１冷却ユニット３０は、機械室２４に配置した圧縮機３１の吐出側に放熱器３５の吸込側が接続され、放熱器３５の吐出側が内部熱交換器３６と分岐した各分岐路に介装される電磁弁３７Ａとキャピラリチューブ３８Ａ、電磁弁３７Ｂとキャピラリチューブ３８Ｂ、電磁弁３７Ｃとキャピラリチューブ３８Ｃとを介して各吸熱器３２，３３，３４の各吸込側に接続される。更に、各吸熱器３２，３３からの冷媒が合流する吸熱器３４の吐出側が内部熱交換器３６を介して圧縮機３１の吸込側に接続されて構成されている。また、第２冷却ユニット５０は、冷温切換室１６に配置される圧縮機５１の吐出側に放熱器５２の吸込側が接続され、放熱器５２の吐出側がキャピラリチューブ５３を介して吸熱器５４の吸込側に接続され、吸熱器５４の吐出側が圧縮機５１の吸込側に接続されて構成されている。そして、これら第１冷却ユニット３０の放熱器３５、内部熱交換器３６、電磁弁３７Ａ，３７Ｂ，３７Ｃ及びキャピラリチューブ３８Ａ，３８Ｂ，３８Ｃと第２冷却ユニット５０のキャピラリチューブ５３及び吸熱器５４は、機械室２４内に配置されている。
【００２０】
機械室２４に配置された各冷却ユニット３０，５０の冷媒回路構成部品と冷温切換室１６，１７及び冷却専用室１８に配置された冷媒回路構成部品との間を接続する冷媒配管４４は、図４に太線で示すように、機械室２４と冷温切換室１７や冷却専用室１８との間は、従来と同様にして第１上下仕切板２５Ａの前縁部の切欠部を通して上下方向で配管し、機械室２４と冷温切換室１６との間は、冷温切換室１６側面と機械室２４とを仕切る側面仕切板２９を横切るように横方向に延ばして側面仕切板２９前縁部の切欠部を通して横方向で配管している。尚、機械室２４には、機械室２４内部を空冷するための送風機４３が設けられている。更に、図示しないが、冷温切換室１６，１７及び冷却専用室１８には、室内の温度を検出する温度センサが設けられ、これら温度センサの出力や各種設定情報等に基づいて制御装置（図示せず）によって冷却ユニット３０，５０を駆動制御する。これら両冷却ユニット３０，５０の制御装置や自動販売機１の種々の動作を制御する制御装置等の電子回路部は、例えば機械室２４の補強部材２６内側の空間部を利用して設置されている。
【００２１】
次に、冷温切換室１６に配置する冷却回路構成部品である第２冷却ユニット５０の圧縮機５１、放熱器５２及び第１冷却ユニット３０の吸熱器３２を載置したユニットの固定構造及び冷温切換室１６の前面開口部に取り付ける閉塞板２８の固定構造について図６〜図８を参照して説明する。
第２上下仕切板２５Ｂは、鋼板製の機械室天板６１上に、真空断熱材６２と、断熱性を有するウレタンボード６３を順次積層して構成される。そして、ウレタンボード６３上に固定する前述の圧縮機５１、放熱器５２及び吸熱器３２を載置したユニットの固定箇所に合わせてウレタンボード６３に複数の切り込みを設け、前記ユニットを固定するための固定金具６４両端の折曲部６４ａを、図７中矢印Ａで示すようにウレタンボード６３の下側から前記切り込みに差し込み、折曲部６４ａをウレタンボード６３上に突出させた後、図７中矢印Ｂのように折曲部６４ａを折り曲げてウレタンボード６３上面に密着させる。これら折り曲げた折曲部６４ａに、圧縮機５１、放熱器５２及び吸熱器３２を載置したユニットをネジ止めして冷却回路構成部品である第２冷却ユニット５０の圧縮機５１、放熱器５２及び第１冷却ユニット３０の吸熱器３２を載置したユニットを固定している。
【００２２】
また、閉塞板２８の固定は、図７に示すように、ウレタンボード６３の前縁部近傍の所定箇所に、固定金具６４を前述と同様にして取り付け、この固定金具６４に、図７中矢印Ｃで示すように、Ｌ字状の閉塞板固定用の固定金具７１をネジ７２で固定する。この固定金具７１と機械室天板６１前縁部の立上げ部６１ａとの間に、図６中に矢印で示すように上から閉塞板２８を差し込み、図８に示すように、第１上下仕切板２５Ａ前縁部に沿って当該第１上下仕切板２５Ａと第２上下仕切板２５Ｂに跨って配置されたシール部材としてのガスケット７３の金具７３ａ部分で、閉塞板２８の上縁部を押さえ付けることにより、閉塞板２８を固定している。閉塞板２８は、断熱材２８ａの周囲にゴム製パッキン２８ｂを設けて構成されており、ガスケット７３の金具７３ａがゴム製パッキン２８ｂに密着する。前記ガスケット７３は、図６に示すように金具７３ａの前面側にゴム製パッキン７３ｂを係止させて構成されており、下部側内扉２１を閉じたときに、下部側内扉２１の下端部内側がゴム製パッキン７３ｂに密着して冷温切換室１６，１７及び冷却専用室１８の密閉性を確保している。
【００２３】
かかる構成の自動販売機１によれば、冷温切換室１６に第２冷却ユニット５０の圧縮機５１を配置したので、圧縮機５１の発熱による圧縮機５１からの排熱によって冷温切換室１６を加温できる。これにより、電気ヒータで加熱する従来機に比べて消費電力量を抑制することができ、自動販売機の省エネ化を図ることができる。また、第２冷却ユニット５０の放熱器５２を冷温切換室１６に配置したので、放熱器５２における冷媒の放熱で冷温切換室１６を加温できるので、より省エネ化を図ることができる。
【００２４】
また、冷温切換室１６下部に配置する圧縮機５１、放熱器５２及び吸熱器３２が、商品収納コラム１９から落下した商品を商品搬出口２２へ搬送するデリバリシュート（図示せず）と干渉しないように、冷温切換室１６下部の上下仕切板２５Ｂの位置を、他の冷温切換室１７及び冷却専用室１８の下部の上下仕切板２５Ａより低い位置に配置した。これにより、冷温切換室１６の商品収容容積を従来機と同じにでき、従来と同様の商品収納容積を有する自動販売機１を提供できる。
【００２５】
また、冷温切換室１６下部の上下仕切板２５Ｂの位置を下げたことに伴って生じる冷温切換室１６の前面開口部を、断熱性の閉塞板２８を取り外し可能に固定して閉塞したので、冷温切換室１６の密閉性を確保できると共に、室内の圧縮機５１、放熱器５２及び吸熱器３２等の故障時やメンテナス時に閉塞板２８を容易に取り外すことができ、故障時やメンテナス時の作業が容易である。しかも、下部側内扉２１の形状を変更することなく従来機のものをそのまま使用でき、製造コストを抑えることができる。
【００２６】
また、冷温切換室１６内の冷媒回路構成部品（第２冷却ユニット５０の圧縮機５１と放熱器５２及び第１冷却ユニット３０の吸熱器３２）と機械室２４側の冷媒回路構成部品（第２冷却ユニット５０の吸熱器５４とキャピラリチューブ５３及び第１冷却ユニット３０のキャピラリチューブ３８Ａ）とを接続する冷媒配管部分を、第１上下仕切板２５Ａと第２上下仕切板２５Ｂとの段差部を利用して横方向に配管したので、冷媒配管４４を簡素化でき、冷媒配管４４の取付け作業が容易にできる。
【００２７】
また、冷温切換室１６に圧縮機５１を配置する冷却ユニット５０の他に、第１冷却ユニット３０を設け、その圧縮機３５を機械室２４の略中央部配置した。これにより、自動販売機１の重量バランスを確保でき、設置したときの安定性を確保できる。
【００２８】
尚、本実施形態では、加温可能な収納室（冷温切換室１６）の底面に冷却ユニット（第２冷却ユニット）の圧縮機を配置する構成としたが、加温可能な収納室における圧縮機の配置は、加温可能な収納室内であればよく必ずしも収納室の底面でなくともよい。
また、本実施形態では、加温可能な収納室（冷温切換室１６）の商品収容容積を従来機と同程度確保するために、加温可能な収納室の下部に位置する上下仕切板位置を他の室の下部に位置する上下仕切板位置よりも低くしたが、加温可能な収納室の商品収容容積を縮小して加温可能な収納室の下部の上下仕切板位置と他の室の下部の上下仕切板位置とを同じ高さとしてもよく、この場合、従来と同様に一枚の平板状の上下仕切板を用いることができ、閉塞板２８やその組み付け構造が省略でき、自動販売機の製造コストが低減される。
【００２９】
次に、本発明の自動販売機に適用する冷却ユニットについて説明する。
本実施形態の自動販売機１では、２つの冷却ユニット設けている。即ち、冷却ユニットとして冷温切換室１６，１７と冷却専用室１８を冷却する第１冷却ユニット３０と、冷温切換室１６を加温する第２冷却ユニット５０とを設け、第１冷却ユニット３０の各吸熱器３２，３３，３４を、冷温切換室１６，１７と冷却専用室１８にそれぞれ配置し、第２冷却ユニット５０の圧縮機５１と放熱器５２を冷温切換室１６に配置している。そして、冷温切換室１６における第１冷却ユニット３０の吸熱器３２と第２冷却ユニット５０の圧縮機５１及び放熱器５２の配置構成を、冷温切換室１６の前方側から後方側に向けて、第１冷却ユニット３０の吸熱器３２、第２冷却ユニット５０の圧縮機５１、放熱器５２の順で配置している。
【００３０】
この場合、第２冷却ユニット５０の冷媒として、例えばＲ１２３４ｙｆを使用し、圧縮機５１として冷媒を超臨界圧力未満で圧縮する圧縮機を用いる。尚、第２冷却ユニット５０の冷媒として、Ｒ１３４ａ、又はＲ１２３４ｚｅ等を用いてもよい。第１冷却ユニット３０の冷媒としては、本実施形態では、例えば二酸化炭素（ＣＯ2）とするが、特に限定はしない。
【００３１】
かかる構成によれば、冷温切換室１６，１７及び冷却専用室１８では、送風機４４，４５，４６によって、後側から前側、上方、後部ダクト（図示せず）の順で室内の空気が流れる。このため、冷温切換室１６内において、第１冷却ユニット３０と第２冷却ユニット５０が稼働状態にあるとき、例えば圧縮機５１の表面温度が７０℃、圧縮機５１の吐出側の冷媒配管温度が５５℃（放熱器５１の入口温度と出口温度も同じ（第２冷却ユニット５０の冷媒は等温変化））とした場合、圧縮機５１を冷却した後の空気温度は放熱器５２の温度より低く、放熱器５２からの放熱が可能となり、放熱器５１の効率を高めることができる。しかし、圧縮機５１と放熱器５２の配置を逆にした場合、即ち、冷温切換室１６の前方側から後方側に向けて、第１冷却ユニット３０の吸熱器３２、第２冷却ユニット５０の放熱器５２、圧縮機５１の順で配置した場合には、圧縮機５１を冷却した後の空気温度が放熱器５２の放熱温度より高く、放熱器５２が放熱し難くなってしまう。
【００３２】
図９は、図５の冷却ユニットの配置構成における別の冷媒回路例を示す構成図である。尚、図５と同一要素には同一符号を付してある。
この冷媒回路では、第２冷却ユニット５０の放熱器５２の吐出側と吸熱器５４の吸込側との間に吸熱器５５を設け、吸熱器５５を冷却専用室１８に配置し、放熱器５２の吐出側を、キャピラリチューブ５６を介して吸熱器５５の吸込側に接続し、吸熱器５５の吐出側を吸熱器５４の吸込側に接続するよう構成されている。
【００３３】
かかる構成では、第２冷却ユニット５０の稼働時に、第２冷却ユニット５０を冷却専用室１８の冷却に利用することができるようになる。
【００３４】
図１０は、図９の冷媒回路の変形例を示す構成図である。
この冷媒回路では、第２冷却ユニット５０の放熱器５２の吐出側に接続する冷媒配管に三方弁５７を設け、放熱器５２の吐出側を、三方弁５７とキャピラリチューブ５６を介して吸熱器５５の吸込側に、また、三方弁５７とキャピラリチューブ５３を介して吸熱器５４の吸込側に、それぞれ三方弁５７により切換え接続可能なように構成されている。
【００３５】
かかる構成では、第２冷却ユニット５０の稼働時に、三方弁５７の切換えにより、第２冷却ユニット５０を冷却専用室１８の冷却に利用したり、利用するのを止めたりすることが選択できるようになる。
【００３６】
図１１は、図５の冷却ユニットの配置構成における更に別の冷媒回路例を示す構成図。
この冷媒回路では、第２冷却ユニット５０に吸熱器５５に加えて更に吸熱器５８を設け、吸熱器５５を冷却専用室１８に配置し、吸熱器５８を冷温切換室１７に配置し、放熱器５２の吐出側を、開閉弁５９Ａとキャピラリチューブ５６Ａを介して吸熱器５５の吸込側に接続可能とし、放熱器５２の吐出側を、開閉弁５９Ｂとキャピラリチューブ５６Ｂを介して吸熱器５８の吸込側に接続可能とし、吸熱器５５と吸熱器５８の各吐出側に接続する冷媒配管を合流させて吸熱器５４の吸込側に接続するよう構成されている。
【００３７】
かかる構成では、第２冷却ユニット５０の稼働時に、冷温切換室１７と冷却専用室１８の冷却に第２冷却ユニット５０を利用することができ、開閉弁５９Ａ，５９Ｂの開閉制御により、冷温切換室１７又は冷却専用室１８だけに利用するか、冷温切換室１７と冷却専用室１８の両室の冷却に利用するか、を選択することができるようになる。
【００３８】
図１２は、図１１の冷媒回路の変形例を示す構成図である。
この冷媒回路では、図１１の回路構成に、開閉弁５９Ｃとキャピラリチューブ５３を追加して、放熱器５２の吐出側を、開閉弁５９Ｃとキャピラリチューブ５３を介して吸熱器５４の吸込側にも接続可能となるよう構成されている。
【００３９】
かかる構成では、第２冷却ユニット５０の稼働時に、開閉弁５９Ａ，５９Ｂ，５９Ｃの開閉制御により、第２冷却ユニット５０を、冷温切換室１７又は冷却専用室１８だけに利用するか、冷温切換室１７と冷却専用室１８の両室の冷却に利用するか、第２冷却ユニット５０を冷温切換室１７と冷却専用室１８の冷却に利用するのを止めたりするか、を選択できるようになる。
【００４０】
図１３は、冷却ユニットの別の配置構成における冷媒回路の構成図を示す。
この冷媒回路は、冷温切換室１６における第１冷却ユニット３０の吸熱器３２と第２冷却ユニット５０の圧縮機５１及び放熱器５２の配置構成を、冷温切換室１６の前方側から後方側に向けて、第１冷却ユニット３０の吸熱器３２、第２冷却ユニット５０の放熱器５２、第２冷却ユニット５０の圧縮機５１の順で配置している。即ち、図５の冷媒回路の配置構成に対して、第２冷却ユニット５０の放熱器５２と圧縮機５１の位置を入れ替えて構成されている。
【００４１】
この場合、第２冷却ユニット５０の冷媒として、二酸化炭素（ＣＯ2）を使用し、圧縮機５１として冷媒を超臨界圧力以上で圧縮する圧縮機を用いる。尚、第１冷却ユニット３０の冷媒としては、本実施形態では例えばＣＯ2とするが、特に限定はしない。
【００４２】
かかる構成によれば、冷温切換室１６，１７及び冷却専用室１８での室内空気が、後側から前側、上方、後部ダクト（図示せず）の順で流れており、冷温切換室１６内において、第１冷却ユニット３０と第２冷却ユニット５０が稼働状態にあるとき、例えば圧縮機５１の表面温度が８０℃、圧縮機５１の吐出側の冷媒配管温度が１２０℃（放熱器５１の入口温度）、放熱器５１の出口温度が６０℃（第２冷却ユニット５０の冷媒であるＣＯ2は等温変化ではない）とした場合、圧縮機５１を冷却した後の室内雰囲気温度は放熱器５２の温度より低く、放熱器５２からの放熱が可能となる。しかし、圧縮機５１と放熱器５２の配置を逆にした場合、即ち、図５のように、冷温切換室１６の前方側から後方側に向けて、第１冷却ユニット３０の吸熱器３２、第２冷却ユニット５０の圧縮機５１、放熱器５２の順で配置した場合には、圧縮機５１の温度が低下し、放熱器５２で放熱した後の空気温度が圧縮機５１の表面温度より高いので、圧縮機５１を冷却し難くなってしまう。
【００４３】
図１４は、図１３の冷却ユニットの配置構成における別の冷媒回路例を示す構成図であり、この冷媒回路は、第２冷却ユニット５０の圧縮機５１と放熱器５２の位置が異なる以外は、図９の冷媒回路と同じ構成である。
【００４４】
かかる構成では、図９に示す冷媒回路構成と同様、第２冷却ユニット５０の稼働時に、第２冷却ユニット５０を冷却専用室１８の冷却に利用することができるようになる。
【００４５】
図１５は、図１４の冷媒回路の変形例を示す構成図であり、この冷媒回路は、第２冷却ユニット５０の圧縮機５１と放熱器５２の位置が異なる以外は、図１０の冷媒回路と同じ構成である。
【００４６】
かかる構成では、図１０に示す冷媒回路構成と同様、第２冷却ユニット５０の稼働時に、三方弁５７の切換えにより、第２冷却ユニット５０を冷却専用室１８の冷却に利用したり、利用するのを止めたりすることが選択できるようになる。
【００４７】
図１６は、図１３の冷却ユニットの配置構成における更に別の冷媒回路例を示す構成図であり、この冷媒回路は、第２冷却ユニット５０の圧縮機５１と放熱器５２の位置が異なる以外は、図１１の冷媒回路と同じ構成である。
【００４８】
かかる構成では、図１１に示す冷媒回路構成と同様、第２冷却ユニット５０の稼働時に、冷温切換室１７と冷却専用室１８の冷却に第２冷却ユニット５０を利用することができ、開閉弁５７Ａ，５７Ｂの開閉制御により、冷温切換室１７又は冷却専用室１８だけに利用するか、冷温切換室１７と冷却専用室１８の両室の冷却に利用するか、を選択することができるようになる。
【００４９】
図１７は、図１６の冷媒回路の変形例を示す構成図であり、この冷媒回路は、第２冷却ユニット５０の圧縮機５１と放熱器５２の位置が異なる以外は、図１２の冷媒回路と同じ構成である。
【００５０】
かかる構成では、図１２に示す冷媒回路構成と同様、第２冷却ユニット５０の稼働時に、開閉弁５９Ａ，５９Ｂ，５９Ｃの開閉制御により、第２冷却ユニット５０を、冷温切換室１７又は冷却専用室１８だけに利用するか、冷温切換室１７と冷却専用室１８の両室の冷却に利用するか、第２冷却ユニット５０を冷温切換室１７と冷却専用室１８の冷却に利用するのを止めたりするか、を選択できるようになる。
【００５１】
また、図５、図９〜図１７に示す冷媒回路構成において、第１冷却ユニット３０と第２冷却ユニット５０は、冷温切換室１６，１７と冷却専用室１８の温度検出用温度センサの検出温度に基づいて圧縮機３１，５１をＯＮ／ＯＦＦするが、第２冷却ユニット５０の圧縮機５１のＯＮ動作に同期させて第１冷却ユニット３０の圧縮機３１をＯＮ駆動するとよい。このようにして、第１冷却ユニット３０側の機械室２４に配置した放熱器３５の放熱を第２冷却ユニット５０側の機械室２４に配置した吸熱器５４で吸熱させることで、第１冷却ユニット３０側の放熱器３５の放熱を第２冷却ユニット５０側の吸熱器５４で無駄なく回収することができ、第２冷却ユニット５０の吸熱器５４が単に大気から吸熱するよりも第２冷却ユニット５０の効率を高めることができる。ただし、冷温切換室１７や冷却専用室１８の室温がある所定温度以上になった場合は、商品温度を維持するため、第２冷却ユニット５０側の圧縮機５１の駆動状態に関係なく、第１冷却ユニット３０側の圧縮機３１をＯＮ駆動する構成とすることが望ましい。
【００５２】
尚、圧縮機を１つとして、これを加温可能な収納室内の下部に配置し、機械室に圧縮機を配置しない構成でもよいが、この場合、重量バランス的に自動販売機の設置安定性が損なわれる虞れがある。従って、上記実施形態のように、機械室に圧縮機を配置し、加温可能な収納室内の下部には他の圧縮機を配置する構成が望ましい。
また、加温可能な収納室を冷温切換室としたが、加温室であってもよく、この場合、冷温切換室１６における第１冷却ユニット３０の吸熱器３２を省略してもよい。
また、送風機４４，４５，４６は、冷温切換室１６の最後方側、即ち、図５〜図１２においては放熱器５２の後側、図１３〜図１７においては圧縮機５１の後側に配置してもよい。ただし、送風機の特性上、空気の流れを阻害するもの（特に熱交換器（放熱器や吸熱器））に対して、空気を押し込む方向より空気を吸い出す方向の方が好ましく、本実施形態のような配置が望ましい。
【符号の説明】
【００５３】
１    自動販売機
２    本体
３    外扉
１４    商品収納部
１５    左右仕切板
１６    冷温切換室（加温可能な収納室）
１７    冷温切換室
１８    冷却専用室
２１    下部側内扉
２４    機械室
２５Ａ    第１上下仕切板
２５Ｂ    第２上下仕切板
２８    閉塞板
２９    側面仕切板
３０    第１冷却ユニット
３１    圧縮機
３２，３３，３４    吸熱器（第１冷却ユニットの）
５０    第２冷却ユニット
５１    圧縮機
５２    放熱器
５５，５８    吸熱器（第２冷却ユニットの）
７３    ガスケット
【図１】
2015125762.tif 000003
【図２】
2015125762.tif 000004
【図３】
2015125762.tif 000005
【図４】
2015125762.tif 000006
【図５】
2015125762.tif 000007
【図６】
2015125762.tif 000008
【図７】
2015125762.tif 000009
【図８】
2015125762.tif 000010
【図９】
2015125762.tif 000011
【図１０】
2015125762.tif 000012
【図１１】
2015125762.tif 000013
【図１２】
2015125762.tif 000014
【図１３】
2015125762.tif 000015
【図１４】
2015125762.tif 000016
【図１５】
2015125762.tif 000017
【図１６】
2015125762.tif 000018
【図１７】
2015125762.tif 000019